(57)【要約】【課題】  複数の電話機を接続した場合であっても、インピーダンスの影響を低減するとともに、装置の大型化を抑制するファクシミリ装置及びその制御方法を提供する。【解決手段】  本ファクシミリ装置は、複数の電話機が接続され、当該複数の電話機のそれぞれと擬似ＣＩ信号を出力する擬似ＣＩ回路との接続を排他的に切り替えて、各電話機に対して順次、当該擬似ＣＩ信号を出力する。具体的に、本ファクシミリ装置は、１つの電話機への擬似ＣＩ信号の出力後、予め定められた時間が経過したことに応じて、擬似ＣＩ信号の出力を他の電話機に切り替える。【選択図】図４
2009290486.tif 000002
【特許請求の範囲】
【請求項１】
複数の電話機が接続されるファクシミリ装置であって、
擬似的な呼出信号である擬似呼出信号を前記複数の電話機に対して出力する出力手段と、
前記出力手段による前記複数の電話機のそれぞれに対する前記擬似呼出信号の出力を切り替える切替手段と、
前記切替手段を制御する制御手段であって、１つの電話機への前記擬似呼出信号の出力後、予め定められた時間が経過したことに応じて、前記擬似呼出信号の出力を他の電話機に切り替えるよう制御する制御手段と
を備えることを特徴とするファクシミリ装置。
【請求項２】
前記擬似呼出信号は、パルスを発生させる発生区間と、該パルスを発生させない休止区間とを含み、
前記制御手段は、第１の電話機に出力する前記擬似呼出信号の休止区間に、前記擬似呼出信号の出力を第２の電話機に切り替えて、該第２の電話機に前記擬似呼出信号のパルスを出力させることを特徴とする請求項１に記載のファクシミリ装置。
【請求項３】
前記予め定められた時間とは、前記擬似呼出信号の１周期分に相当し、
前記制御手段は、前記擬似呼出信号の周期ごとに、前記擬似呼出信号の出力先の電話機を切り替えることを特徴とする請求項１に記載のファクシミリ装置。
【請求項４】
前記擬似呼出信号は、該擬似呼出信号の周期よりも短い周期のパルスを含み、
前記制御手段は、
前記パルスの周期ごとに、前記擬似呼出信号の出力先の電話機を切り替えることを特徴とする請求項１に記載のファクシミリ装置。
【請求項５】
前記１つの電話機への前記擬似呼出信号の出力後、前記予め定められた時間が経過したことに応じて、前記制御手段が、前記擬似呼出信号の出力を他の電話機に切り替える際に、前記１つの電話機への前記擬似呼出信号の出力と、前記他の電話機への前記擬似呼出信号の出力とを部分的に重複させることを特徴とする請求項１乃至４のいずれか１項に記載のファクシミリ装置。
【請求項６】
前記出力手段は、
前記擬似呼出信号を生成するＳＥＬＶ回路と、
分離トランスを介して前記ＳＥＬＶ回路と接続され、前記ＳＥＬＶ回路から受信した前記擬似呼出信号を、各電話機に出力するＴＮＶ回路とを備えることを特徴とする請求項１乃至４のいずれか１項に記載のファクシミリ装置。
【請求項７】
複数の電話機が接続され、擬似的な呼出信号である擬似呼出信号を前記複数の電話機に対して出力する出力手段と、前記出力手段による前記複数の電話機のそれぞれに対する前記擬似呼出信号の出力を切り替える切替手段と、を備えるファクシミリ装置の制御方法であって、
前記切替手段を制御する制御工程であって、１つの電話機への前記擬似呼出信号の出力後、予め定められた時間が経過したことに応じて、前記擬似呼出信号の出力を他の電話機に切り替えるよう制御する制御工程を
含むことを特徴とするファクシミリ装置の制御方法。
【請求項８】
請求項７に記載のファクシミリ装置の制御方法をコンピュータに実行させるためのプログラム。
【請求項９】
請求項７に記載のファクシミリ装置の制御方法をコンピュータに実行させるためのプログラムを記憶したコンピュータで読み取り可能な記憶媒体。
【発明の詳細な説明】
【技術分野】
【０００１】
本発明は、ファクシミリ装置及びその制御方法、プログラム、記憶媒体に関するものである。
【背景技術】
【０００２】
ファクシミリ装置では、無鳴動着信モード時に電話機を電話回線から切り離して、擬似的な呼び出し信号を電話機に出力する必要がある。以下では、擬似的な呼出信号を擬似ＣＩ信号（擬似呼出信号）と称する。この擬似ＣＩ信号は、標準で１６Ｈｚ、７５Ｖｒｍｓという低周波信号である。
【０００３】
図１５及び図１６は、従来のファクシミリ装置の擬似ＣＩ回路の構成を示す図である。図１５に示す擬似ＣＩ回路１５００は、電源一次側の電源回路１５０９と、電話網電圧（ＴＮＶ）回路である回線一次側のＮＣＵ（Network Control Unit）回路１５１０とを備える。また、擬似ＣＩ回路１５００は、電源回路１５０９とＮＣＵ回路１５１０とを分離する分離トランス１５０７を備える。電源回路１５０９は、擬似ＣＩ信号１５０２を発生する擬似ＣＩ発生回路１５０６を備える。
【０００４】
擬似ＣＩ回路１５００では、電源回路１５０９の１次側から分離トランス１５０７を介して回線の一次側に擬似ＣＩ信号１５０２が出力される。また、この擬似ＣＩ信号１５０２はさらにＮＣＵ回路１５１０から電話機１５０８に出力される。このような回路構成は、近年まで主流であったが、擬似ＣＩ発生回路１５０６と分離トランス１５０７が電源回路１５０９の１次側に設けられているため、安全性を確保するために様々な対策が求められる。特に、分離トランス１５０７は、強化絶縁を必要とし、昇温防止などの対策も必要となる。したがって、図１６に示す形態の擬似ＣＩ回路を備えるためには、装置の大型化が必要となり、装置の小型化や低コスト化に適さないという問題がある。
【０００５】
図１６に示す擬似ＣＩ回路１６００は、近年、擬似ＣＩ回路１５００に代わる回路構成として着目されている。擬似ＣＩ回路１６００は、安全超低電圧（ＳＥＬＶ）回路１６０９と、ＴＮＶ回路であるＮＣＵ回路を備える。また、擬似ＣＩ回路１６００は、ＳＥＬＶ回路１６０９とＮＣＵ回路１６１０とを分離する分離トランス１６０７を備える。ＳＥＬＶ回路１６０９は、ＤＣ／ＤＣコンバータ１６０４、発振器１６０５及び擬似ＣＩ発生回路１６０６を備える。ＤＣ／ＤＣコンバータ１６０４は、２４Ｖ等の低電圧から、４０Ｖ等のＳＥＬＶとみなされる基準電圧内の擬似ＣＩ信号の元になる電圧を生成し、擬似ＣＩ発生回路１６０６に印加する。発振器１６０５は、擬似ＣＩの基準周波数１６０１を生成し、擬似ＣＩ発生回路１６０６に入力する。擬似ＣＩ発生回路１６０６は、入力された基礎周波数及び電圧に従って擬似ＣＩ信号１６０２を生成する。生成された擬似ＣＩ信号１６０２は、分離トランス１６０７を介して電話機１６０８に入力される。なお、この場合は、擬似ＣＩ回路１６００は、ＳＥＬＶ回路１６０９から擬似ＣＩ信号を生成するため、基礎絶縁でよい。そのためトランスを小型化することができる。また、擬似ＣＩ発生回路１６０６等をＳＥＬＶ回路１６０９内に設けているため、図１５に示す形態の回路と比較すると、安全性を確保するための厳しい制限を受けない。
【０００６】
ところで、近年、ファクシミリ装置には、専用の電話機（ハンドセット）を接続しているものが普及している。また、この電話機とは別に、コードレス電話の親機をファクシミリ装置に接続し、子機を別の部屋に設置する要望が市場で高まりつつある。この場合、擬似ＣＩ回路で発生させた擬似ＣＩ信号により、ファクシミリ専用の電話機と、他の電話機との複数の電話機を鳴らす必要がある。
【０００７】
特許文献１には、内線通話における擬似ＣＩ信号の出力を制御するファクシミリ装置が提案されている。特許文献１に記載のファクシミリ装置では、複数の電話機を接続する方法が提案されている。また、特許文献２には、オフフックに応答して、擬似ＣＩ信号及び回線を切り替えるファクシミリ装置が提案されている。さらに、特許文献３には、内蔵電話機に切換接続する切換接続部を有する電話付ファクシミリ装置が提案されている。
【特許文献１】特開平０２−１４１１６３号公報
【特許文献２】特開平０１−３０３８５７号公報
【特許文献３】特開平０５−１９１６２３号公報
【発明の開示】
【発明が解決しようとする課題】
【０００８】
しかしながら、上述の従来技術には以下に記載する問題がある。例えば、据え置き電話機とコードレス電話機の両方をファクシミリ装置に繋ぎたいという要望に応えるために、複数の電話機を擬似ＣＩ回路に接続する場合がある。この場合、１つの擬似ＣＩ回路で発生させた擬似ＣＩ信号により、複数の電話機を鳴動さることが必要となる。
【０００９】
しかし、上述の擬似ＣＩ回路１５００、１６００に複数の電話機を接続すると、複数の電話機のインピーダンスの影響でトランスの出力電圧が降下してしまうため、トランスを大きくする必要がある。したがって、十分な電圧を確保するようにトランスを設計すると、トランスの形状が大きくなり、装置が大型化してしまい、コストも増大するという問題がある。
【００１０】
また、擬似ＣＩ信号は、トランスで増幅されるとともに、電話回線の２次側、即ち、コントローラ側と切り離される。ここで、トランスは、低周波になればなるほど巻き線間の磁気結合が弱くなるため、低周波での効率を考慮すると、巻き線とコアの構成上トランスの形状が大きくなってしまう。一方、コントローラ側は、ＳＥＬＶ回路で構成されているため４０Ｖ以下に規制されている。したがって、当該トランスで増幅をはかるために巻き線数が多くなり、これによってもトランスの形状が大きくなってしまう。さらに、当該トランスは、電話機側、即ち、トランスの２次側の負荷インピーダンスの影響を大きく受ける。したがって、複数の電話機を接続すると、トランスの形状が非常に大きくなってしまう。
【００１１】
本発明は、上述の問題に鑑みて成されたものであり、複数の電話機を接続した場合であっても、インピーダンスの影響を低減するとともに、装置の大型化を抑制するファクシミリ装置及びその制御方法を提供することを目的とする。
【課題を解決するための手段】
【００１２】
上記の目的を達成するために本発明における複数の電話機が接続されるファクシミリ装置は、擬似的な呼出信号である擬似呼出信号を前記複数の電話機に対して出力する出力手段と、前記出力手段による前記複数の電話機のそれぞれに対する前記擬似呼出信号の出力を切り替える切替手段と、前記切替手段を制御する制御手段であって、１つの電話機への前記擬似呼出信号の出力後、予め定められた時間が経過したことに応じて、前記擬似呼出信号の出力を他の電話機に切り替えるよう制御する制御手段とを備えることを特徴とする。
【００１３】
また、本発明における、複数の電話機が接続され、擬似的な呼出信号である擬似呼出信号を前記複数の電話機に対して出力する出力手段と、前記出力手段による前記複数の電話機のそれぞれに対する前記擬似呼出信号の出力を切り替える切替手段と、を備えるファクシミリ装置の制御方法は、前記切替手段を制御する制御工程であって、１つの電話機への前記擬似呼出信号の出力後、予め定められた時間が経過したことに応じて、前記擬似呼出信号の出力を他の電話機に切り替えるよう制御する制御工程を含むことを特徴とする。
【発明の効果】
【００１４】
本発明によれば、例えば、複数の電話機を接続した場合であっても、インピーダンスの影響を低減するとともに、装置の大型化を抑制するファクシミリ装置及びその制御方法を提供できる。
【発明を実施するための最良の形態】
【００１５】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００１６】
また、以下では、本発明に係る装置としてファクシミリ装置を例に説明する。しかしながら、本発明は、ファクシミリ装置に限定されるわけではなく、他の画像処理機能を有した画像処理装置であって、電話機や、電話回線などのネットワークに接続可能な画像処理装置に適用してもよい。
【００１７】
＜第１の実施形態＞
＜主要回路の構成＞
以下では、図１乃至図７を参照して、第１の実施形態について説明する。図１は、第１の実施形態に係るファクシミリ装置に備えられる主要な回路１００の構成を示す図である。
【００１８】
回路１００は、電話回線接続部１０１、ＥＭＩ／ＥＭＣ対策回路１０２、ＳＤＡＡ側回路１０３、電源１０４、Ｈリレー１０６、逆流防止ダイオード１０７、１１４、ＨＲＬ（Ｈリレー）ドライブ回路１０８、及び回線給電回路１０９を備える。さらに、回路１００は、オンフック検知回路１１０、擬似ＣＩ送出回路１１２、スイッチ回路（以下、ＳＷ回路と称する。）１１３〜１１８、ノイズフィルタ回路１１９、１２０及び電話機接続部１２１、１２２を備える。また、図１中の１０５はＨリレー駆動信号であるＨＲＬ信号を示し、１１１はグランドを示す。ＨＲＬ信号１０５によって、ＯＮ時に電話回線を電話機から切り離し、オフフック検知回路１１０を駆動させるための回線給電回路１０９に接続する。一方、ＯＦＦ時に電話回線を電話機に接続する。
【００１９】
電話回線接続部１０１は、モジュラージャック等のコネクタにより公衆電話回線に接続される。ＥＭＩ／ＥＭＣ対策回路１０２は、雷サージや照射イミュニティ対策、又は、放射ノイズ対策等のノイズ対策回路である。ＳＤＡＡ側回路１０３は、半導体ＮＣＵ、モデム等の回路である。電源１０４は、リレーを駆動させるための電源である。Ｈリレー１０６は、電話回線とＳＤＡＡを擬似ＣＩ送出回路１１２又は電話機から切り離す。逆流防止ダイオード１０７、１１４は、リレー駆動による電流の逆流を防止する。Ｈリレードライブ回路１０８は、ＯＮで、擬似ＣＩと電話機を電話回線とＳＤＡＡから切り離す。回線給電回路１０９は、電話機を回線から切り離している時にオフフックを検知するための電源を回線から供給する。オフフック検知回路１１０は、電話機がユーザによりオフフックされたことを検知する。
【００２０】
擬似ＣＩ送出回路１１２は、コントローラからの指示により擬似的な呼出信号をコントローラに出力する回路である。以下では、擬似的な呼出信号を擬似ＣＩ信号（擬似呼出信号）と称する。この擬似ＣＩ信号は、標準で１６Ｈｚ、７５Ｖｒｍｓという低周波信号である。なお、図示されていないスイッチを内部に含有し、コントローラからの指示に応じて、擬似ＣＩ送出回路１１２を回線側から切り離すことができる。ＳＷ回路１１３〜１１８は、半導体リレー又はメカニカルリレーで構成されるスイッチである。ＳＷ回路１１３〜１１８は、コントローラによる制御に基づいて、擬似ＣＩ送出回路１１２と各電話機との接続を、通信可能な接続状態と通信不可能な遮断状態とに切り替える切替処理を行う。
【００２１】
ＳＷ回路１１３は、擬似ＣＩ送出回路１１２と電話機接続部１２２に接続された電話機（第２の電話機）との接続を切り替える。ＳＷ回路１１４は、擬似ＣＩ送出回路１１２と電話機接続部１２１に接続された電話機（第１の電話機）との接続を切り替える。ＳＷ回路１１５は、電話回線と電話機接続部１２２に接続された電話機との接続を切り替える。ＳＷ回路１１６は、電話回線と電話機接続部１２１に接続された電話機との接続を切り替える。ＳＷ回路１１７は、オフフック検知回路１１０と電話機接続部１２２に接続された電話機との接続を切り替える。ＳＷ回路１１８は、オフフック検知回路１１０と電話機接続部１２１に接続された電話機との接続を切り替える。
【００２２】
例えば、ＳＷ回路１１３がＯＮでＳＷ回路１１４がＯＦＦの場合、擬似ＣＩ送出回路１１２は、電話機接続部１２２に接続された電話機と接続される。このときＨリレー１０６は、回線給電回路１０９に電話回線を接続し、電話機を電話回線から切り離す。スイッチ回路１１３がＯＮの場合、ＳＷ回路１１７はＯＦＦとなる。ここで、１１３乃至１１８の各ＳＷ回路は、例えば、後述する図２の半導体リレーで構成される。
【００２３】
ノイズフィルタ回路１１９、１２０は、ラジオノイズ等のノイズを除去する回路である。電話機接続部１２１、１２２は、電話機が接続され、モジュラージャックコネクタなどで構成される。
【００２４】
＜ＳＷ回路の構成＞
図２は、第１の実施形態に係るＳＷ回路の構成例を示すである。ここでは、ＳＷ回路１１３の構成を一例に説明する。なお、ＳＷ回路１１４〜１１８の構成は、ＳＷ回路１１３と同様の構成であるため説明を省略する。また、図２に示す構成は、半導体リレーを用いた場合の一例を示す。
【００２５】
ＳＷ回路１１３は、電流制限抵抗２０１、フォトインタラプタ２０２、電源２０３及びトランジスタ２０６を備える。また、２０８はドライブ信号を示し、２０７はグランドを示す。
【００２６】
フォトインタラプタ２０２は、電話機等を接続するための端子２０４、２０５を備える。電源２０３は、フォトインタラプタ２０２のＬＥＤ側に電流を供給する。したがって、ドライブ信号２０８がＨレベルのときに、トランジスタ２０６がＯＮ状態となり、フォトインタラプタ２０２のＬＥＤ側に電流が流れる。これにより、端子２０４、２０５間のＦＥＴがＯＮとなり、導通する。
【００２７】
＜全体構成＞
次に、図３を参照して、本実施形態に係るファクシミリ装置の全体構成について説明する。図３は、第１の実施形態に係るファクシミリ装置３００の構成例を示すブロック図である。なお、図３に示すブロック図には、回路１００が含まれている。
【００２８】
ファクシミリ装置３００は、モデムＩＣ３０１、絶縁回路３０２、ブリッジ回路３０３、ＳＤＡＡ３０４、呼び出し信号フィルタ３０５、回線電流検知／回線インピーダンス回路３０６、受信ＩＦ回路３０７、インピーダンス整合送信回路３０８を備える。また、ファクシミリ装置３００は、ブリッジ回路３０９、リングインピーダンス調整回路３１０、ＥＭＩ／ＥＭＣ対策回路３１１、電話回線接続部３１２、コントローラ３１３を備える。また、ファクシミリ装置３００は、ＨＲＬドライブ部３１４、電源３１５、ＨＲＬ（ＨＲリレー）３１７、回線給電ブリッジ回路及びＣＩ検知回路３２０を備える。また、ファクシミリ装置３００は、オフフック検知回路３３１、擬似ＣＩＳＷ回路３３２、電話機接続部３２２、３２９、電話機３２４、３３０、擬似ＣＩ送出回路３２３及びスピーカ回路３５０を備える。さらに、ファクシミリ装置３００は、原稿読み取り部３４０、記録部３４１、ＵＳＢ制御部３４２、ＬＡＮ制御部３４３、表示部３４４、ＫＥＹ入力部３４５、メモリ部３４６、モータ制御部３４７、ソレノイド制御部３４８及びセンサ部３４９を備える。
【００２９】
モデムＩＣ３０１は、いわゆるホスト側デバイスである。絶縁回路３０２は、トランス又はコンデンサで構成され、通信回路の１次側と２次側を分離する。ブリッジ回路３０３は、モデムＩＣ３０１からの交流信号３２５を電源３２８とクロック３２７とに分解し、ＳＤＡＡ３０４に供給する。交流信号３２５は、ＳＤＡＡを動作させるための電力を供給するとともに、クロックが重畳された信号である。また、図６に示す３２６は、モデムＩＣ３０１からの制御信号と、ＳＤＡＡ３０４からのステータス信号とをやり取りするためのデータラインである。
【００３０】
ＳＤＡＡ３０４は、シリコンＤＡＡ又は半導体ＮＣＵを示し、いわゆるライン側デバイスである。従来では、トランスやメカニカルリレーで構成されていた電話網制御を半導体チップで構成するものである。ＳＤＡＡ３０４は、電流補足、呼び出し信号（ＣＩ検知）、電話機のフック検知等を行う。呼び出し信号フィルタ３０５は、呼び出し信号を検出する前段階としてフィルタリングする回路を示す。回線電流検知／回線インピーダンス回路３０６は、回線の電流を検知したり、パルスダイヤル時にインピーダンスを調整したりするための回路である。受信ＩＦ回路３０７は、受信を行うために、受信信号に対して前処理を実行する。インピーダンス整合送信回路３０８は、送信信号を送信する回路であり、インピーダンス整合を行う。
【００３１】
ブリッジ回路３０９は、電話回線の極性とＳＤＡＡの極性とを調整する。リングインピーダンス調整回路３１０は、呼び出し信号を受信した際のインピーダンスを調整する。ＥＭＩ／ＥＭＣ対策回路３１１は、雷サージや照射イミュニティ、放射ノイズ対策等のノイズ対策回路である。電話回線接続部３１２は、モジュラージャックコネクタなどで構成され、公衆電話回線に接続される。
【００３２】
コントローラ３１３は、ＳＯＣ（システム・オン・チップ）であり、ファクシミリ通信だけでなく、システム全体を制御する。本実施形態によれば、擬似ＣＩ送出回路３２３及び擬似ＣＩＳＷ回路３３２は、コントローラ３１３により制御される。ＨＲＬドライブ回路３１４は、ＯＮで、擬似ＣＩと電話機を電話回線とＳＤＡＡから切り離す。電源３１５は、リレーを駆動させるための電源である。Ｈリレー３１７は、電話回線を擬似ＣＩ回路又は電話機から切り離すためのものである。回線給電ブリッジ回路３１８は、電話機を回線から切り離している時にオフフックするための電源を回線から供給する。
【００３３】
ＣＩ検知回路３２０は、擬似ＣＩ信号を検知する。電話機接続部３２２、３２９は、モジュラージャックコネクタなどで構成される。電話機接続部３２２には電話機３２４が接続され、電話機接続部３２９には、電話機３３０が接続される。
【００３４】
擬似ＣＩ送出回路３２３は、ＨリレーでＳＤＡＡから分離されているときに、電話機に対して擬似ＣＩ信号を出力する。
【００３５】
オフフック検知回路３３１は、電話機がユーザによりオフフックされたことを検知する。擬似ＣＩＳＷ回路３３２は、擬似ＣＩを電話機３２４又は電話機３３０に接続するためのスイッチ回路であり、図１に示すＳＷ回路１１３〜１１８を含む。
【００３６】
原稿読み取り部３４０は、コピー、送信又はメモリ蓄積を実行するために、原稿から画像を読み取る。記録部３４１は、受信した若しくは読み取られた原稿、コピー又はレポート等の印字を実行する。ＵＳＢ制御部３４２は、本ファクシミリ装置３００を情報処理装置などのコンピュータにＵＳＢ接続し、スキャナ又はプリンタとして使用するための接続部である。ＬＡＮ制御部３４３は、本ファクシミリ装置３００をネットワークプリンタ又はネットワークスキャナとして使用するための接続部である。
【００３７】
表示部３４４は、ＬＣＤ、ＬＥＤなどにより構成され、ユーザに情報を提示する。ＫＥＹ入力部３４５は、ユーザがキー入力するための入力装置である。メモリ部３４６は、プログラムや登録データ等を記憶するフラッシュメモリと、画像データなどを記憶するＤＲＡＭ等のメモリと備える。モータ制御部３４７は、読み取りモータ等を制御する。ソレノイド制御部３４８は、駆動系を着脱し、紙搬送などを制御する。センサ部３４９は、紙の状態等を検知するための複数のセンサを示す。スピーカ回路３５０は、回線モニタ音や擬似ベル音などを出力可能なスピーカである。
【００３８】
＜擬似ＣＩ回路の構成＞
次に、図４を参照して、本実施形態に係る擬似ＣＩ回路４００について説明する。図４は、第１の実施形態に係る擬似ＣＩ回路４００の構成例を示すブロック図である。なお、ここでは、主に本発明に関わる部分について説明する。したがって、擬似ＣＩ回路４００は、他のブロックを含んで構成されてもよい。
【００３９】
擬似ＣＩ回路４００は、電源の２次側で、低電圧で構成されるＳＥＬＶ回路４０９及び回線の一次側でＴＮＶ回路であるＮＣＵ回路４１０を備える。また、擬似ＣＩ回路４００は、ＳＥＬＶ回路４０９とＮＣＵ回路４１０との間に分離トランス４０７、ＳＷ回路４１１及びフック検知回路４１２を備える。また、ＳＥＬＶ回路４０９二は、ＤＣ／ＤＣコンバータ４０４、発振器４０５、擬似ＣＩ発生回路４０６及びコントローラ４１３が含まれる。また、４１４、４１５は、電話機を示す。
【００４０】
また、４０１は、擬似ＣＩ信号の元となる基準周波数を示す。４０２は、擬似ＣＩ信号を示す。擬似ＣＩ信号４０２は、通常１６Ｈｚや２０Ｈｚといった低周波信号である。４０３は、分離トランス４０７から出力された擬似ＣＩ信号を示す。擬似ＣＩ信号４０３は、擬似ＣＩ信号４０２の波形を分離トランス４０７に通すことにより、当該分離トランス４０７の特性により正弦波、三角波、又はパルス幅の短い方形波などの波形形状を有する。また、擬似ＣＩ信号４０３は、７５Ｖｒｍｓ程度のレベルの信号である。４１６は、擬似ＣＩを出力する電話機を選択する信号を示す。４１７は、フック検知信号を示す。４２０は、発振器をオン／オフする信号、又はコントローラ４１３で生成された擬似ＣＩ信号の元となる信号を示す。
【００４１】
ＤＣ／ＤＣコンバータ４０４は、２４Ｖ程度の低電圧から、４０Ｖ程度のＳＥＬＶとみなされる基準電圧内の擬似ＣＩ信号の元になる電圧を生成する。発振器４０５は、擬似ＣＩ信号の基準周波数４０１を生成する。擬似ＣＩ発生回路４０６は、ＤＣ／ＤＣコンバータ４０４からの電圧と、発振器からの基準周波数４０１、擬似ＣＩ信号４０２を出力する。
【００４２】
分離トランス４０７は、ＳＥＬＶ回路４０９と回線１次側であるＮＣＵ回路４１０を分離する。ＳＷ回路４１１は、擬似ＣＩ発生回路４０６と複数の電話機との接続を切り替えることにより、擬似ＣＩ信号４０３の出力先を切り替える。フック検知回路４１２は、ユーザにより電話機がオフフックされた時に擬似ＣＩ信号の出力を中止したり、又は、電話機を電話回線に接続したりするために、オフフックを検知する。
【００４３】
コントローラ４１３は、図３のコントローラ３１３に相当し、ＳＷ回路４１１を制御して擬似ＣＩ信号の出力先となる電話機を切り替えたり、又は、フック検知回路４１２を制御して、フック検知を行わせたりするための制御を行う。さらに、コントローラ４１３は、発振器４０５をオン／オフしたり、又は、内蔵するタイマにより擬似ＣＩ信号の元になる信号を生成したりする。
【００４４】
擬似ＣＩ信号を出力する場合、コントローラ４１３は、まず発振器４０５をＯＮに制御する。或いは、コントローラ４１３は、タイマで周期信号を生成する。この場合、擬似ＣＩ発生回路４０６は、周期信号に基づいて、約４０Ｖ以下の安全規格においてＳＥＬＶとみなされる電圧値である擬似ＣＩ信号を生成する。また、コントローラ４１３では、電話機を選択するための信号１６によって、ＳＷ回路４１１を制御する。実際には、このＳＷ回路４１１は、図１のＳＷ回路１１３〜１１８のようなスイッチ群で構成される。また、電話機のオフフックが行われ、擬似ＣＩ信号の出力中に電話機がオフフックされると、コントローラ４１３は、擬似ＣＩ信号の出力を停止する。
【００４５】
このように、擬似ＣＩ回路４００は、ＳＥＬＶ回路４０９から擬似ＣＩ信号を生成するため、基礎絶縁でよい。即ち強化絶縁を使用する必要がない。したがって、トランスを小型化することができる。また、擬似ＣＩ発生回路４０６等がＳＥＬＶ回路４０９内に設けられているため、厳しい規制を受けない。
【００４６】
＜Ｗリングの擬似ＣＩ信号＞
次に、図５を参照して、Ｗリングの擬似ＣＩ信号について説明する。図５は、第１の実施形態に係る擬似ＣＩ信号の出力波形を示す図である。Ｗリングとは、一定時間の間に２発のオンパルス（パルス発生区間）が存在し、その後にオフ時間が継続する状態を示す。即ち、擬似ＣＩ信号の１周期の間に２発のパルスが存在する呼び出し信号方式である。図５の例では、１秒間に１回オフとなる時間がある。一般的には、電話機４１４に対する擬似ＣＩ信号の出力波形を示す５０１に示すように、１／３秒オン、１／３秒オフ、１／３秒オン、２秒オフに近いケーデンスになる。このオン時間の間には、１６Ｈｚ又は２０Ｈｚ程度の低周波の擬似ＣＩ信号が連続して出力される。一方、電話機４１５に対する擬似ＣＩ信号の出力波形を示す５０２に示すように、電話機４１４のＷリングの休止区間に、電話機４１５の擬似ＣＩ信号がオンになる。本実施形態では、このようなＷリングの擬似ＣＩ信号が適用される。
【００４７】
＜制御フロー＞
次に、図６を参照して、擬似ＣＩ信号を出力する場合に動作について説明する。図６は、第１の実施形態に係る擬似ＣＩ信号出力時の処理手順を示す図である。図６に示すフローチャートは、ＦＡＸ／ＴＥＬ切り替えモード、無鳴動着信モード時に擬似ＣＩ信号を出力する場合を示している。なお、以下で説明する処理は、コントローラ４１３によって制御される。
【００４８】
ステップＳ６０１において、ファクシミリ装置３００がＦＡＸ／ＴＥＬ切り替えモードのスタンバイ状態に遷移する。ＦＡＸ／ＴＥＬ切り替えモードのスタンバイ状態とは、相手がファクシミリ装置であるか電話機であるかが分からないときに、相手がファクシミリ信号を出力するとファクシミリに切り替えるモードを示す。
【００４９】
次に、ステップＳ６０２において、コントローラ４１３は、着信を検知すると、当該着信が無鳴動着信モードであるか否かを判定する。無鳴動着信モードとは、回線から着信信号が送られてくると一旦回線を捕捉し、相手がファクシミリ信号を出力しない場合は電話機を擬似ＣＩ信号で呼び出すモードを示す。ここで、無鳴動着信モードである場合は処理をＳ６０３に遷移させ、無鳴動着信モードでない場合は処理をＳ６０５に遷移させる。ステップＳ６０５において、コントローラ４１３は、鳴動着信であると判定し、電話機を呼び出し信号で鳴動させ、処理を終了する。
【００５０】
一方、ステップＳ６０３において、コントローラ４１３は、電話機を回線から切り離し、回線からの着信信号で電話機が鳴動しないように制御する。続いて、ステップＳ６０４において、コントローラ４１３は、電話機のオフフックの検知を開始する。その後、ステップＳ６０６において、コントローラ４１３は、電話機がユーザによりオフフックされたか否かを判定する。ここで、電話機がオフフック状態である場合は処理をステップＳ６０７に遷移させ、オンフック状態である場合は処理をステップＳ６０８に遷移させる。ステップＳ６０７において、コントローラ４１３は、ユーザが電話機をオフフックしたときに、電話機を回線に接続させて通話可能に制御し、処理を終了する。
【００５１】
一方、ステップＳ６０８において、コントローラ４１３は、電話機がオンフック状態である場合に、回線から擬似ＣＩ信号を受信したか否かを判定する。ここで、擬似ＣＩ信号で無ければ処理をＳ６０６に戻し、擬似ＣＩ信号であれば処理をステップＳ６０９に遷移させる。
【００５２】
ステップＳ６０９において、コントローラ４１３は、Ｈリレー３１７によって、擬似ＣＩ回路と電話機を、回線から切り離す。続いて、ステップＳ６１０において、コントローラ４１３は、ＳＤＡＡ３０４によって、回線補足を行う。さらに、ステップＳ６１０において、コントローラ４１３は、ＳＤＡＡ３０４によって、擬似的なリングバックトーンを生成し、生成したリングバックトーンを電話回線側に出力する。
【００５３】
次に、ステップＳ６１２において、コントローラ４１３は、通信相手がファクシミリ装置である場合に、当該通信相手から出力されるＣＮＧ信号が出力されたか否かを判定する。ここで、通信相手からのＣＮＧ信号が出力された場合は処理をステップＳ６１３に遷移させ、通信相手からＣＮＧ信号が出力されていない場合は処理をステップＳ６１４に遷移させる。ステップＳ６１３において、コントローラ４１３は、通信相手をファクシミリ装置と判定し、ファクシミリ通信を開始して、処理を終了する。
【００５４】
一方、ステップＳ６１４において、コントローラ４１３は、電話機がユーザによりオフフックされたか否かを判定する。ここで、オフフックされている場合は処理をステップＳ６１５に遷移させ、オフフックされていない場合は処理をステップＳ６１６に遷移させる。ステップＳ６１５において、コントローラ４１３は、電話機を電話回線に接続する。
【００５５】
一方、ステップＳ６１６において、コントローラ４１３は、ＳＤＡＡ３０４によって、通信相手のファクシミリ装置又は電話機がオンフック状態となり、通信相手側の電話回線が開放されたか否かを判定する。ここで、通信相手側の回線が解放された場合は、回線を開放し、処理を終了する。
【００５６】
通信相手側の回線が解放されていない場合、ステップＳ６１７において、コントローラ４１３は、ユーザがストップ操作を行ったか否かを判定する。ここで、ユーザがストップ操作を行った場合は、処理を終了する。
【００５７】
ユーザがストップ操作を行っていない場合は、ステップＳ６１８において、コントローラ４１３は、ユーザが通信開始指示操作を行ったか否かを判定する。ここで、ユーザが通信開始指示操作を行った場合は、処理を終了する。
【００５８】
ユーザが通信開始指示操作を行っていない場合は、ステップＳ６１９において、コントローラ４１３は、設定された時間が経過したか否かを判定する。ＦＡＸ／ＴＥＬ切り替えモードでは、一旦電話回線を捕捉して電話機を鳴動させずに、又は、擬似ベル音等を出力せずに相手がファクシミリ信号を出力するか否かを、一定時間監視している。ステップＳ６１９では、この一定時間を経過したか否かを判定している。ここで、一定時間が経過していない場合は、処理をステップＳ６１２に戻す。
【００５９】
一定時間が経過している場合、ステップＳ６２０において、コントローラ４１３は、擬似ＣＩ信号の出力を開始する。続いて、ステップＳ６２１において、コントローラ４１３は、通信相手のファクシミリ装置からＣＮＧ信号が送られてきたか否かを判定する。ここで、通信相手のファクシミリ装置からＣＮＧ信号が送られてきている場合、ステップＳ６２２において、コントローラ４１３は、擬似ＣＩ信号の出力を停止し、ステップＳ６２３においてファクシミリ通信を開始する。
【００６０】
一方、通信相手のファクシミリ装置からＣＮＧ信号が送られていない場合、ステップＳ６２４において、コントローラ４１３は、ユーザによりオフフック状態になったか否かを判定する。オフフック状態になっている場合は、ステップＳ６２５において、コントローラ４１３は、擬似ＣＩ信号の出力を停止し、ステップＳ６２６において電話回線を電話機側に接続する。
【００６１】
一方、オフフック状態になっていない場合、ステップＳ６２７において、コントローラ４１３は、ユーザがストップ操作を行ったか否かを判定する。ユーザがストップ操作を行っている場合、ステップＳ６２８において、コントローラ４１３は、擬似ＣＩ信号の出力を停止し、処理を終了する。
【００６２】
一方、ユーザがストップ操作を行っていない場合、ステップＳ６２９において、コントローラ４１３は、ユーザが通信開始指示操作を行ったか否かを判定する。ユーザが通信開始指示操作を行っている場合、ステップＳ６３０において、コントローラ４１３は、擬似ＣＩ信号の出力を停止し、処理を終了する。
【００６３】
一方、ユーザが通信開始指示操作を行っていない場合、ステップＳ６３１において、コントローラ４１３は、ＦＡＸ／ＴＥＬ切り替えモードの擬似ＣＩ信号の出力時間が一定時間経過したか否かを判定する。例えば、１５秒程度の時間が予め定められており、この時間だけ擬似ＣＩ信号の出力を行い、その後の処理へと移行する。当該出力時間は、通常、ユーザ設定で変更できるものである。ここで、一定時間が経過していない場合は、処理をステップＳ６２１に戻す。また、一定時間が経過している場合は、処理をステップＳ６３２に遷移させる。
【００６４】
ステップＳ６３２において、コントローラ４１３は、擬似ＣＩ信号出力を停止する。続いて、ステップＳ６３３において、コントローラ４１３は、擬似ＣＩ信号の出力後に回線を開放するための終了設定か否かを判定する。ここで、終了設定である場合は、ステップＳ６３４において回線を解放し、終了設定でない場合は、ステップＳ６３５において受信を開始する。
【００６５】
次に、図７を参照して、本実施形態による擬似ＣＩ信号の出力処理について説明する。図７は、第１の実施形態に係る擬似ＣＩ信号の出力処理の処理手順を示すフローチャートである。なお、以下で説明する処理は、コントローラ４１３によって統括的に制御される。また、本実施形態では、複数の電話機に対して、排他的に擬似ＣＩ送出回路を接続し、Ｗリングの擬似ＣＩ信号を順次送出する。
【００６６】
ステップＳ７０１において、コントローラ４１３は、擬似ＣＩ回路４００の接続を設定する。具体的には、コントローラ４１３は、擬似ＣＩ回路４００を電話機４１４に接続し、電話機４１５を非接続に設定する。続いて、ステップＳ７０２において、コントローラ４１３は、電話機４１４に対して擬似ＣＩ信号におけるＷリングの１発目を出力する。その後、ステップＳ７０３において、コントローラ４１３は、タイマを開始させ、ステップＳ７０４において予め定められた時間が経過したか否かをタイムアウトにより判定する。ここで予め定められた時間とは、電話機４１４に対して擬似ＣＩ信号におけるＷリングの１発目の出力時間を示す。例えば、当該時間は３３０ｍｓに設定される。予め定められた時間が経過すると、ステップＳ７０５において、コントローラ４１３は、擬似ＣＩ信号の出力を停止する。
【００６７】
次に、ステップＳ７０６において、コントローラ４１３は、擬似ＣＩ回路４００の接続先を切り替える。具体的には、擬似ＣＩ回路４００に対して、電話機４１４の接続を切り離し、電話機４１５を接続する。接続を切り替えると、ステップＳ７０７において、コントローラ４１３は、電話機４１５に対して、擬似ＣＩ信号におけるＷリングの１発目を出力する。その後、ステップＳ７０８において、コントローラ４１３は、タイマを開始させ、ステップＳ７０９において予め定められた時間が経過したか否かをタイムアウトにより判定する。ここでの判定はＳ７０４の判定と同様であり、例えば３３０ｍｓの経過を判定する。予め定められた時間が経過すると、ステップＳ７１０において、コントローラ４１３は、擬似ＣＩ信号の出力を停止する。
【００６８】
次に、ステップＳ７１１において、コントローラ４１３は、擬似ＣＩ回路４００の接続先を切り替える。具体的には、擬似ＣＩ回路４００を電話機４１４に接続し、電話機４１５を切り離す。接続先を切り替えると、ステップＳ７１２において、コントローラ４１３は、電話機４１４に対して、擬似ＣＩ信号におけるＷリングの２発目を出力する。その後、ステップＳ７１３において、コントローラ４１３は、タイマを開始させ、ステップＳ７１４において予め定められた時間が経過したか否かを判定する。ここでの判定はＳ７０４の判定と同様であり、例えば３３０ｍｓの経過を判定する。予め定められた時間が経過すると、ステップＳ７１５において、コントローラ４１３は、擬似ＣＩ信号の出力を停止する。
【００６９】
次に、ステップＳ７１６において、コントローラ４１３は、擬似ＣＩ回路４００の接続先を切り替える。具体的には、擬似ＣＩ回路４００に対して、電話機４１４の接続を切り離し、電話機４１５を接続する。接続を切り替えると、ステップＳ７１７において、コントローラ４１３は、電話機４１５に対して、擬似ＣＩ信号におけるＷリングの２発目を出力する。その後、ステップＳ７１８において、コントローラ４１３は、タイマを開始させ、ステップＳ７１９において予め定められた時間が経過したか否かを判定する。ここでの判定はＳ７０４の判定と同様であり、例えば３３０ｍｓの経過を判定する。予め定められた時間が経過すると、ステップＳ７２０において、コントローラ４１３は、擬似ＣＩ信号の出力を停止する。
【００７０】
次に、ステップＳ７２１において、コントローラ４１３は、タイマを開始させ、ステップＳ７２２において、予め定められた時間が経過したか否かを判定する。ここでの予め定められた時間とは、例えば、１６６７ｍｓであり、擬似ＣＩ信号を出力しない時間に相当する。
【００７１】
以上説明したように、本実施形態に係るファクシミリ装置は、複数の電話機が接続され、当該電話機と擬似ＣＩ信号を出力する擬似ＣＩ回路との接続を排他的に切り替えて、各電話機に対して順次、当該擬似ＣＩ信号を出力する。これにより、本ファクシミリ装置は、一度に複数の電話機に対して擬似ＣＩ信号を出力する場合と比較して、擬似ＣＩ信号を増幅させる必要がないため、トランスを小型化でき、装置の製造コストを低減することができる。
【００７２】
＜第２の実施形態＞
次に、図８及び図９を参照して、第２の実施形態について説明する。本実施形態では、ノーマルリングの擬似ＣＩ信号を使用した場合の例について説明する。なお、以下では、第１の実施形態と異なる技術についてのみ説明を記載する。
【００７３】
＜ノーマルリングの擬似ＣＩ信号＞
図８は、第２の実施形態に係る擬似ＣＩ信号の出力波形を示す図である。８０１は、電話機４１４に対する擬似ＣＩ信号の出力波形を示す。また、８０２は、電話機４１５に対する擬似ＣＩ信号の出力波形を示す。
【００７４】
出力波形８０１、８０２に示すように、ノーマルリングの擬似ＣＩ信号では、当該擬似ＣＩ信号の１周期の間に１回のパルスが出力される。また、電話機４１４に対して擬似ＣＩ信号が出力されている間は、電話機４１５に対する擬似ＣＩ信号の出力が停止され、電話機４１４に対する擬似ＣＩ信号の出力が停止している間に電話機４１５に対して当該擬似ＣＩ信号が出力される。
【００７５】
＜制御フロー＞
次に、図９を参照して、上述したノーマルリングの擬似ＣＩ信号を電話機に対して出力する動作について説明する。図９は、第２の実施形態に係る擬似ＣＩ信号の出力処理の処理手順を示すフローチャートである。なお、以下で説明する処理は、コントローラ４１３によって統括的に制御される。また、本実施形態では、複数の電話機に対して、排他的に擬似ＣＩ送出回路を接続し、ノーマルリングの擬似ＣＩ信号を順次出力する。
【００７６】
ステップＳ９０１において、コントローラ４１３は、擬似ＣＩ回路４００の接続を設定する。具体的には、コントローラ４１３は、擬似ＣＩ回路４００を電話機４１４に接続し、電話機４１５を非接続に設定する。続いて、ステップＳ９０２において、コントローラ４１３は、電話機４１４に対して擬似ＣＩ信号におけるノーマルリングを出力する。その後、ステップＳ９０３において、コントローラ４１３は、タイマを開始させ、ステップＳ９０４において予め定められた時間が経過したか否かをタイムアウトにより判定する。ここで予め定められた時間とは、電話機４１４に対して擬似ＣＩ信号におけるノーマルリングの出力時間を示す。例えば、当該時間は１ｓに設定される。予め定められた時間が経過すると、ステップＳ９０５において、コントローラ４１３は、擬似ＣＩ信号の出力を停止する。
【００７７】
次に、ステップＳ９０６において、コントローラ４１３は、擬似ＣＩ回路４００の接続先を切り替える。具体的には、擬似ＣＩ回路４００に対して、電話機４１４の接続を切り離し、電話機４１５を接続する。接続を切り替えると、ステップＳ９０７において、コントローラ４１３は、電話機４１５に対して、擬似ＣＩ信号におけるノーマルリングを出力する。その後、ステップＳ９０８において、コントローラ４１３は、タイマを開始させ、ステップＳ９０９において予め定められた時間が経過したか否かをタイムアウトにより判定する。ここでの判定はＳ９０４の判定と同様であり、例えば１ｓの経過を判定する。予め定められた時間が経過すると、ステップＳ９１０において、コントローラ４１３は、擬似ＣＩ信号の出力を停止する。
【００７８】
次に、ステップＳ９１１において、コントローラ４１３は、タイマを開始させ、ステップＳ９１２において、予め定められた時間が経過したか否かを判定する。ここでの予め定められた時間とは、例えば、１ｓであり、擬似ＣＩ信号を出力しない時間に相当する。
【００７９】
以上説明したように、本実施形態に係るファクシミリ装置は、ノーマルリングの擬似ＣＩ信号を適用した場合であっても、第１の実施形態と同様の効果を奏することができる。
【００８０】
＜第３の実施形態＞
次に、図１０及び図１１を参照して、第３の実施形態について説明する。本実施形態では、擬似ＣＩ信号における短いレンジのパルス休止区間に他の電話機への擬似ＣＩ信号を出力する。例えば、擬似ＣＩ信号の周期が２０Ｈｚ間隔である場合に、それよりも短いパルス、例えば、５０Ｈｚのパルスを出力し、５０ＨＺのパルス出力期間でないときに他の電話機に対して、当該５０Ｈｚのパルスを出力する。また、本実施形態は、Ｗリング及びノーマルリングの両方に適用することができる。なお、以下では、第１及び第２の実施形態と異なる技術についてのみ説明を記載する。
【００８１】
＜擬似ＣＩ信号＞
図１０は、第３の実施形態に係る擬似ＣＩ信号の出力波形を示す図である。１００１は、電話機４１４に対する擬似ＣＩ信号の出力波形を示す。また、１００２は、電話機４１５に対する擬似ＣＩ信号の出力波形を示す。
【００８２】
出力波形１００１、１００２に示すように、本実施形態の擬似ＣＩ信号では、当該擬似ＣＩ信号の１周期（２０Ｈｚ）よりも短いパルス間隔の擬似ＣＩ信号（５０Ｈｚ）を出力する。また、電話機４１５に対しての擬似ＣＩ信号は、電話機４１４に対する擬似ＣＩ信号のパルスの休止区間中に出力される。
【００８３】
このように擬似ＣＩ信号の出力を制御することで、以下のような効果が得られる。例えば、近年の電子化された電話機は、一定時間内のパルスの個数又は波高値を検知してベル音を鳴動させている。そのため、必ずしも１６Ｈｚや２０Ｈｚの正弦波や矩形波を入力する必要はなく、パルス数や波高値を合わせれば鳴動する。一方、分離トランスは、周波数が高いほど効率がよい。そのため、例えば２０Ｈｚ間隔で、５０Ｈｚのパルス信号をトランスに入力した方が、２０Ｈｚの信号を入力するよりも伝達効率がよく、装置を小型化することができる。
【００８４】
＜制御フロー＞
次に、図１１を参照して、上述したノーマルリングの擬似ＣＩ信号を電話機に対して出力する動作について説明する。図１１は、第３の実施形態に係る擬似ＣＩ信号の出力処理の処理手順を示すフローチャートである。なお、以下で説明する処理は、コントローラ４１３によって統括的に制御される。また、本実施形態では、複数の電話機に対して、排他的に擬似ＣＩ送出回路を接続し、短いパルスの擬似ＣＩ信号を順次出力する。
【００８５】
ステップＳ１１０１において、コントローラ４１３は、予め定められた時間のタイマを開始する。ここで、予め定められた時間とは、擬似ＣＩ信号の１周期分の時間を示す。続いて、ステップＳ１１０２において、コントローラ４１３は、擬似ＣＩ回路４００の接続を設定する。具体的には、コントローラ４１３は、擬似ＣＩ回路４００を電話機４１４に接続し、電話機４１５を非接続に設定する。さらに、ステップＳ１１０３において、コントローラ４１３は、電話機４１４に対して図８に示した短いパルスを１周期分出力する。ここで、短いパルスとは、例えば、１／２０秒（５０ｍＳ）よりも短い間隔である１／５０秒（２０ｍＳ）を１周期とするパルスを示す。
【００８６】
続いて、ステップＳ１１０４において、コントローラ４１３は、擬似ＣＩ回路４００の接続先を切り替える。具体的には、擬似ＣＩ回路４００に対して、電話機４１４の接続を切り離し、電話機４１５を接続する。接続を切り替えると、ステップＳ１１０５において、コントローラ４１３は、電話機４１５に対して、パルスを１周期分出力する。
【００８７】
次に、ステップＳ１１０６において、コントローラ４１３は、ステップＳ１１０１で開始させたタイマを監視し、予め定められた時間が経過したか否かを判定する。ここで、予め定められた時間が経過すると、コントローラ４１３は、擬似ＣＩ信号の１周期分の出力処理を終了する。
【００８８】
以上説明したように、本実施形態に係るファクシミリ装置は、擬似ＣＩ信号の周期より短い周期のパルスを含む擬似ＣＩ信号を適用した場合であっても、第１の実施形態と同様の効果を奏することができる。
【００８９】
＜第４の実施形態＞
次に、図１２及び図１３を参照して、第４の実施形態について説明する。第１乃至第３の実施形態では、２台の電話機に対して、接続を切り替えながら擬似ＣＩ信号を出力する例について説明した。しかし、本発明は、２台の電話機が接続されている場合においてのみ適用されるものではなく、３台以上の電話機が接続されている場合に本発明を適用してもよい。本実施形態では、７台の電話機がファクシミリ装置３００に接続された場合の例について説明する。
【００９０】
＜擬似ＣＩ回路の構成＞
図１２は、第４の実施形態に係る擬似ＣＩ回路１２００の構成例を示すブロック図である。なお、ここでは、図４と異なる説明についてのみ記載する。したがって、図４と同様の構成については同一の番号を付し、説明を省略する。
【００９１】
図１２に示すように、擬似ＣＩ回路１２００には、７台の電話機１２０１〜１２０７が接続されている。本発明では、このように３台以上の電話機を鳴動させることも可能である。なお、擬似ＣＩ回路１２００の構成については、擬似ＣＩ回路４００と同様であるため説明を省略する。
【００９２】
＜擬似ＣＩ信号＞
次に、図１３を参照して、７台の電話機１２０１〜１２０７への擬似ＣＩ信号の出力処理について説明する。図１３は、第４の実施形態に係る擬似ＣＩ信号の出力波形を示す図である。図１３において、１３０１は電話機１２０１に対する擬似ＣＩ信号の出力波形を示す。１３０２は、電話機１２０２に対する擬似ＣＩ信号の出力波形を示す。１３０３は、電話機１２０３に対する擬似ＣＩ信号の出力波形を示す。１３０４は、電話機１２０４に対する擬似ＣＩ信号の出力波形を示す。１３０５は、電話機１２０５に対する擬似ＣＩ信号の出力波形を示す。１３０６は、電話機１２０６に対する擬似ＣＩ信号の出力波形を示す。１３０７は、電話機１２０７に対する擬似ＣＩ信号の出力波形を示す。また、図１３では、Ｗリングの擬似ＣＩ信号の出力波形を示すが、ノーマルリングの擬似ＣＩ信号を使用してもよい。
【００９３】
図１３に示すように、本実施形態では、７台の電話機１２０１〜１２０７に対して、順次タイミングをずらして、擬似ＣＩ信号を排他的に出力する。このように、順次タイミングをずらして、異なる電話機に対して擬似ＣＩ信号を出力することで、３台以上の電話機が接続された場合であっても、必要最小限のトランスに抑制することができる。具体的には、図１３に示すように、同時に、２台までの電話機に対して擬似ＣＩ信号を出力するように重複を抑えることができる。例えば、電話機１２０１に対してのＷリングにおける２発目の擬似ＣＩ信号と、電話機１２０３に対してのＷリングにおける１発目の擬似ＣＩ信号とが重複するが、それ以上の重複を避けることができる。したがって、トランスの増大を必要最小限に抑え、装置の大型化を低減させることができる。
【００９４】
＜第５の実施形態＞
次に、図１４を参照して、第５の実施形態について説明する。本実施形態では、擬似ＣＩ信号の出力先を切り替える際に、部分的に複数の電話機に重複して擬似ＣＩ信号が出力される期間を有することを特徴とする。また、本実施形態では、図４に示す擬似ＣＩ回路４００を一例に説明する。
【００９５】
＜擬似ＣＩ信号＞
図１４は、第５の実施形態に係る擬似ＣＩ信号の出力波形を示す図である。１４０１は、電話機４１４に対する擬似ＣＩ信号の出力波形を示す。また、１４０２は、電話機４１５に対する擬似ＣＩ信号の出力波形を示す。
【００９６】
図１４に示すＢの区間は、擬似ＣＩ回路４００に対して電話機４１５が接続され、電話機４１４は非接続となる。区間Ｂについては、第１乃至第３の実施形態と同様に、他の電話機に対して擬似ＣＩ信号が出力されていない休止区間中に擬似ＣＩ信号が出力される。しかし、本実施形態では、区間Ａに示すように、複数の電話機４１４、４１５に対して同時に擬似ＣＩ信号を出力する区間を含む。したがって、区間Ａでは、擬似ＣＩ回路４００に対して、電話機４１４、４１５の両方が接続されていることとなる。このように、本実施形態では、各電話機に出力する擬似ＣＩ信号のタイミングをずらし、トランスの大型化を必要としない程度の重複区間を有する。このように、本発明は、基本的には、複数の電話機に対して排他的に擬似ＣＩ信号を出力するが、トランスを大型化させない程度の重複区間であれば許容することができる。例えば、より多くの電話機が接続された場合に、各電話機に対する擬似ＣＩ信号の出力タイミングにおける差異を低減させることができる。
【００９７】
（その他の実施形態）
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００９８】
尚、本発明は、前述した実施形態の機能を実現するソフトウェアのプログラム（実施形態では図に示すフローチャートに対応したプログラム）を、システムあるいは装置に直接あるいは遠隔の外部装置から供給する。そして、そのシステムあるいは装置のコンピュータが該供給されたプログラムコードを読み出して実行することによっても達成される場合を含む。
【００９９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１００】
その場合、プログラムの機能を有していれば、オブジェクトコード、インタプリタにより実行されるプログラム、ＯＳに供給するスクリプトデータ等の形態であっても良い。
【０１０１】
プログラムを供給するための記録媒体としては、例えば、以下のようなものがある。フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）。
【０１０２】
その他、プログラムの供給方法としては、クライアントコンピュータのブラウザを用いてインターネットのホームページからハードディスク等の記録媒体にダウンロードすることによっても供給できる。すなわち、ホームページに接続し、該ホームページから本発明のコンピュータプログラムそのもの、もしくは圧縮され自動インストール機能を含むファイルをダウンロードする。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０３】
また、本発明のプログラムを暗号化してＣＤ−ＲＯＭ等のコンピュータ読み取り可能な記憶媒体に格納してユーザに配布する。そして、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０４】
また、コンピュータが、読み出したプログラムを実行することによって、前述した実施形態の機能が実現される。その他にも、そのプログラムの指示に基づき、コンピュータ上で稼動しているＯＳなどが、実際の処理の一部または全部を行い、その処理によっても前述した実施形態の機能が実現され得る。
【０１０５】
さらに、記録媒体から読み出されたプログラムが、コンピュータに挿入された機能拡張ボードやコンピュータに接続された機能拡張ユニットに備わるメモリに書き込まれた後にも前述した実施形態の機能が実現される。すなわち、そのプログラムの指示に基づき、その機能拡張ボードや機能拡張ユニットに備わるＣＰＵなどが実際の処理の一部または全部を行うことによっても前述した実施形態の機能が実現される。
【図面の簡単な説明】
【０１０６】
【図１】第１の実施形態に係るファクシミリ装置に備えられる主要な回路１００の構成を示す図である。
【図２】第１の実施形態に係るＳＷ回路の構成例を示すである。
【図３】第１の実施形態に係るファクシミリ装置３００の構成例を示すブロック図である。
【図４】第１の実施形態に係る擬似ＣＩ回路４００の構成例を示すブロック図である。
【図５】第１の実施形態に係る擬似ＣＩ信号の出力波形を示す図である。
【図６】第１の実施形態に係る擬似ＣＩ信号出力時の処理手順を示す図である。
【図７】第１の実施形態に係る擬似ＣＩ信号の出力処理の処理手順を示すフローチャートである。
【図８】第２の実施形態に係る擬似ＣＩ信号の出力波形を示す図である。
【図９】第２の実施形態に係る擬似ＣＩ信号の出力処理の処理手順を示すフローチャートである。
【図１０】第３の実施形態に係る擬似ＣＩ信号の出力波形を示す図である。
【図１１】第３の実施形態に係る擬似ＣＩ信号の出力処理の処理手順を示すフローチャートである。
【図１２】第４の実施形態に係る擬似ＣＩ回路１２００の構成例を示すブロック図である。
【図１３】第４の実施形態に係る擬似ＣＩ信号の出力波形を示す図である。
【図１４】第５の実施形態に係る擬似ＣＩ信号の出力波形を示す図である。
【図１５】従来のファクシミリ装置の擬似ＣＩ回路の構成を示す図である。
【図１６】従来のファクシミリ装置の擬似ＣＩ回路の構成を示す図である。
【符号の説明】
【０１０７】
３００：ファクシミリ装置
４００：擬似ＣＩ回路
４０４：ＤＣ／ＤＣコンバータ
４０５：発振器
４０６：擬似ＣＩ発生回路
４０７：分離トランス
４０９：ＳＥＬＶ回路
４１０：ＮＣＵ回路
４１１：ＳＷ回路
４１２：フック検知回路
４１３：コントローラ
４１４、４１５：電話機
【図１】
2009290486.tif 000003
【図２】
2009290486.tif 000004
【図３】
2009290486.tif 000005
【図４】
2009290486.tif 000006
【図５】
2009290486.tif 000007
【図６】
2009290486.tif 000008
【図７】
2009290486.tif 000009
【図８】
2009290486.tif 000010
【図９】
2009290486.tif 000011
【図１０】
2009290486.tif 000012
【図１１】
2009290486.tif 000013
【図１２】
2009290486.tif 000014
【図１３】
2009290486.tif 000015
【図１４】
2009290486.tif 000016
【図１５】
2009290486.tif 000017
【図１６】
2009290486.tif 000018